(57)【特許請求の範囲】
【請求項１】
実行中のアプリケーションを表示し、複数の他のアプリケーションを配列して表示する表示部と、
前記表示部に重ねられるタッチセンサと、
前記実行中のアプリケーションを前記他のアプリケーションに替える処理を行う制御部と、を備え、
前記制御部は、前記実行中のアプリケーションを表示し、複数の前記他のアプリケーションを配列して表示している際に、
実行中のアプリケーションを他のアプリケーションに替える操作が当該実行中のアプリケーションに対して行われると、他のアプリケーションが配列された順にアプリケーションを替え、
実行中のアプリケーションを他のアプリケーションに替える操作が前記他のアプリケーションのいずれかに対して行われると、当該操作が行われた他のアプリケーションの実行画面を表示するとともに、前記複数の他のアプリケーションの配列を変更することを特徴とする電子機器。
【発明の詳細な説明】
【技術分野】
【０００１】
本発明は電子機器に関し、詳しくは、タッチセンサを情報入力手段とする電子機器に関する。
【背景技術】
【０００２】
近年、携帯電話やＰＨＳ（Personal Handy phone System）、ＰＤＡ（Personal Digital Assistant）などに代表される電子機器は、小型化と軽量化に加えて高機能化が進行している。その結果、通話やメールといった通信関連の機能のみでなく、カメラ、音楽再生、テレビジョンなど、コンピュータに匹敵するほどの機能が取り込まれてきている。
【０００３】
このような高機能化に伴って、様々なアプリケーションを快適に使用するために、表示領域の大画面化の要請がある。しかし、小型化が進行している電子機器において筐体の面積は制限される傾向にあるため、表示領域の大画面化を図れば、必然的に操作部に割り当てられる面積が減少してしまう。このため、同じ操作キーにいくつもの機能を兼用させたり、メニューの階層を深くしたりしなければならず、操作性の低下を招くこととなる。
【０００４】
そこで、特許文献１には、２つの画面（液晶ディスプレイ）を開閉可能に装備し、開くことによって２画面を連接および連動させることにより、表示面積の大型化と装置サイズの小型化を両立させた画像表示装置が開示されている。また、特許文献２には、画面（情報表示画面）と同じ面に第１のタッチセンサを有し、反対側の面に第２のタッチセンサを有することにより、第２のタッチセンサを指紋認証などのための補助入力手段として用いる技術が開示されている。
【先行技術文献】
【特許文献】
【０００５】
【特許文献１】特開２００７−０７９１５７号公報
【特許文献２】特開２００７−１４１０２９号公報
【発明の概要】
【発明が解決しようとする課題】
【０００６】
しかし上記特許文献１の構成にあっては、アプリケーション動作画面を（収納時の）装置サイズに比して大きくすることはできるものの、単に表示面積を増やしたに過ぎない。また特許文献２の構成にあっては、従来利用されていなかった裏面に入力手段を配置してはいるものの、裏面の入力手段を表面の入力手段の補助として用いて操作性の向上を図ったに過ぎない。すなわち、表示領域の大画面化と操作性の向上といった相反する要請を解決するものではない。
【０００７】
本発明は、このような課題に鑑みてなされたものであり、表示領域の大画面化と操作性の向上を両立させた電子機器を提供することを目的とする。
【課題を解決するための手段】
【０００８】
上記課題を解決するために本発明にかかる電子機器の代表的な構成は、実行中のアプリケーションをアクティブアプリケーションとして表示する第１表示部と、第１表示部に重畳され、接触を検知するタッチセンサと、タッチセンサへの接触が狭領域である場合には、アクティブアプリケーションに対する処理を行うと共に、タッチセンサへの接触が広領域である場合には、アクティブアプリケーションを他のアプリケーションに切り替える切替処理を行う制御部と、を備えることを特徴とする。
【０００９】
制御部は、タッチセンサへの接触が単一箇所の場合は狭領域にて接触されたと判断し、タッチセンサへの接触が複数箇所の場合は広領域にて接触されたと判断してもよい。
【００１０】
制御部は、タッチセンサに対する全ての接触領域を包含する外縁領域の広さによって、狭領域か広領域かを判断してもよい。
【００１１】
制御部は、タッチセンサへの接触が広領域である場合、この接触の摺動を検知することで切替処理を行ってもよい。
【００１２】
制御部は、第１表示部に、アクティブアプリケーションとして実行中のアプリケーション、および他のアプリケーションの双方を切替の方向に配列された帯として表示させてもよい。
【００１３】
アクティブアプリケーションを表す帯は、他のアプリケーションを表す帯よりも幅広であってもよい。
【００１４】
制御部は、接触の摺動を検知した場合に、アクティブアプリケーションとして実行中のアプリケーションを他のアプリケーションに切り替える処理を行うと共に、他のアプリケーションを実行し、アクティブアプリケーションとする処理を行ってもよい。
【００１５】
制御部は、アクティブアプリケーションを表す帯に隣接する帯に対応する他のアプリケーションを実行し、アクティブアプリケーションとする処理を行ってもよい。
【００１６】
制御部は、摺動の基点にて表示される帯に対応する他のアプリケーションを実行し、アクティブアプリケーションとする処理を行ってもよい。
【００１７】
当該電子機器は、第１表示部とは異なる面に配置される第２表示部をさらに備え、制御部は、少なくともアクティブアプリケーションを第１表示部に表示させ、少なくとも他のアプリケーションを第２表示部に表示させてもよい。
【００１８】
当該電子機器は、第１表示部とは異なる面に配置される第２表示部をさらに備え、制御部は、少なくともアクティブアプリケーションを第１表示部に表示させ、少なくとも他のアプリケーションの一部を第２表示部にも表示させてもよい。
【発明の効果】
【００１９】
本発明によれば、表示領域の大画面化と操作性の向上を両立させた電子機器を提供することができる。
【図面の簡単な説明】
【００２０】
【図１】第１実施形態にかかる携帯電話の外観を説明する６面図である。
【図２】第１実施形態にかかる携帯電話の概略的な機能を示すブロック図である。
【図３】タッチセンサへの接触が狭領域か広領域かを判断する評価手法を説明する図である。
【図４】第１施形態にかかる携帯電話の第１表示部および第２表示部における表示を説明する図である。
【図５】第１実施形態にかかる携帯電話のアクティブアプリケーションの切替を説明する図である。
【図６】タッチセンサを用いて休止状態からの復帰判定を行う例を示す図である。
【図７】第２実施形態にかかる携帯電話の概略的な機能を示すブロック図である。
【図８】第２施形態にかかる携帯電話の第１表示部および第２表示部における表示を説明する図である。
【図９】第２実施形態にかかる携帯電話のアクティブアプリケーションの切替を説明する図である。
【図１０】タッチセンサへの広領域の接触の摺動によりアクティブアプリケーションの切替を行う様子を示す図である。
【図１１】アクティブアプリケーションの他の切替方法を説明する図である。
【図１２】第３実施形態にかかるＰＤＡを示す図である。
【発明を実施するための形態】
【００２１】
以下に添付図面を参照しながら、本発明の好適な実施形態について詳細に説明する。係る実施形態に示す寸法、材料、その他具体的な数値等は、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、又、本発明に直接関係のない要素は図示を省略する。
【００２２】
［第１実施形態］
本発明にかかる電子機器の第１実施形態である携帯電話１００について説明する。なお、本実施形態においてアクティブアプリケーション１６０とは、電子機器を操作した場合に、その操作が入力されるアプリケーションである。また、まだ実際には動作していない状態であっても、すなわちそのアプリケーションを起動するアイコン（コマンド）やショートカットメニューが操作入力を受け付ける状態であれば、アクティブアプリケーションに包含するものとする。また本実施形態において非アクティブアプリケーション１７０（他のアプリケーション）とは、操作が入力される状態にないアプリケーションであって、実行されていないアプリケーションおよびバックグラウンドで実行されているアプリケーションを包含するものとする。
【００２３】
（外観構成)
図１は第１実施形態にかかる携帯電話１００の外観を説明する６面図である。図１に示す携帯電話１００は、筐体の１つの面に配置された第１表示部１１０と、第１表示部１１０と反対側の面に配置され、第１表示部１１０と略同じ表示面積を有する第２表示部１２０とを備えている。第１表示部１１０には、透明なタッチセンサ１３０が重畳されている（本実施形態において第２表示部１２０にはタッチセンサが重畳されていない）。
【００２４】
第１表示部１１０と第２表示部１２０とは長辺において湾曲し、それぞれが連接することによって筐体の外周を巻回するように配置されている。そして筐体の外形（表面においてはタッチセンサ１３０が外形を構成している）は、第１表示部１１０および第２表示部１２０が湾曲する方向を含む断面の形状が略楕円形となっている。すなわち第１表示部１１０と第２表示部１２０とによって全体的に平たい筒のような形状となっている。この筒の両端には、端部部材１１４、１１６が備えられている。この端部部材１１４、１１６は、第１表示部１１０、第２表示部１２０と連接している。なお、端部部材１１４、１１６は、筐体内部に設けられたＬＥＤからの光を外部へと透過する光透過部（図示せず）を介して、第１表示部１１０、第２表示部１２０と連接してもよい。
【００２５】
なお、略楕円形とは正確な楕円（円も含む）のほか、正確な楕円以外の形状も含む。例えば、端部が全体的に丸みを帯びた形状である、主表面が平坦であって端部が半円を描く長丸形状、さらに長丸形状の主表面の中央部が膨出した形状、楕円形を短軸又は長軸方向につぶした形状も略楕円形に含まれるものとする。
【００２６】
端部部材１１４の第１表示部１１０と連接する面には、カメラ１４０が備えられている。また、筐体の１つの側面に当たる端部部材１１４の端面には、音声出力部１４２および電源ボタン１４６が備えられている。この端部部材１１４の端面と対向して配置される端部部材１１６の端面には、音声入力部１４４が備えられている。このように、音声出力部１４２および音声入力部１４４を端部部材１１４、１１６の端面（筐体の側面）に配置することにより、通話する際には筐体の表裏に関係なく把持することができる。
【００２７】
また、第１表示部１１０と端部部材１１４および端部部材１１６とのそれぞれの間の部分であって、筐体の短手方向の略中央部分には、筐体内部に設けられたステレオスピーカ１５０（図２参照）から発せられた音を、筐体内部から筐体外部に出力するための放音口１４８ａ、１４８ｂがそれぞれ形成されている。
【００２８】
同様に、第２表示部１２０と端部部材１１４および端部部材１１６とのそれぞれの間の部分であって、筐体の短手方向の略中央部分には、筐体内部に設けられたステレオスピーカ１５０から発せられた音を、筐体内部から筐体外部に出力するための放音口１４８ｃ、１４８ｄがそれぞれ形成されている。
【００２９】
放音口１４８ａ、１４８ｂ、１４８ｃ、１４８ｄには、ステレオスピーカ１５０から発せられた音を誘導する導音路（図示せず）が連結されており、それぞれより音を均等に発することが可能である。
【００３０】
（機能構成）
図２は第１実施形態にかかる携帯電話１００の概略的な機能を示すブロック図、図３はタッチセンサ１３０への接触が狭領域か広領域かを判断する評価手法を説明する図である。図２に示すように、携帯電話１００は、上記した第１表示部１１０、第２表示部１２０、タッチセンサ１３０、カメラ１４０、音声出力部１４２、音声入力部１４４、ステレオスピーカ１５０に加えて、制御部２００、無線通信部２１０、メモリ２２０を少なくとも備えている。
【００３１】
制御部２００は、中央処理装置（ＣＰＵ）を含む半導体集積回路により携帯電話１００全体を管理および制御する。具体的には、例えば、通話機能、文字入力機能、音楽再生機能、ＴＶ視聴機能などを担うメモリ２２０に格納されたアプリケーションや、通信網を介してアプリケーション中継サーバ（図示せず）から提供されるＷｅｂブラウザやスケジュール管理などのアプリケーションを実行する。制御部２００は、切替制御部２０２、表示制御部２０４を含んで構成される。
【００３２】
切替制御部２０２は、タッチセンサ１３０への操作が狭領域にて入力された場合、この操作をアクティブアプリケーション１６０に送信する（現在の表示画面に対する入力操作）。また、タッチセンサ１３０への操作が広領域にて入力された場合、アクティブアプリケーション１６０をリスト画面（後程説明する）に列記された非アクティブアプリケーション１７０（他のアプリケーション）に切り替える（切替処理）。
【００３３】
なお、ここでの狭領域、広領域とは一義的なものに限定されず、予め設定された評価手法に則り、相対的な狭い、広いを判断するものであればいかなるものでも適用できる。具体的には、図３（ａ）に示すように、タッチセンサ１３０への接触が単一箇所か複数箇所かにより、狭領域か広領域かを判断するものとしてもよい。
【００３４】
また、図３（ｂ）に示すように、タッチセンサ１３０に対する全ての接触領域を包含する外縁領域１３２の広さにより、狭領域か広領域かを判断するものとしてもよい。外縁領域１３２による判断とすれば、接触領域間においてタッチパネル１３０に接触しているか否かを問わず、狭領域か広領域かの判断を下すことができる。
【００３５】
さらにまた、図３（ｃ）に示すように、タッチセンサ１３０に対する接触面積により、狭領域か広領域かを判断するものとしてもよい。この場合判断対象となるのはタッチセンサ１３０に接触した面積の総和となる。面積の総和が所定の面積より広ければ広領域と判断され、狭ければ狭領域と判断される。所定の面積は、例えば、統計学的に求められた指の大きさの面積を指標に定めることができる。また、ユーザが端末使用前にキャリブレーションして、設定するようにしてもよい。
【００３６】
表示制御部２０４は、第１表示部１１０および第２表示部１２０に表示させる画面を制御する。切替制御部２０２および表示制御部２０４の動作については後に詳述する。
【００３７】
メモリ２２０は、ＲＯＭ、ＲＡＭ、ＥＥＰＲＯＭ、不揮発性ＲＡＭ、フラッシュ記憶部、ＨＤＤ等で構成され、制御部２００で処理されるプログラムやその他のデータファイル等を記憶する。
【００３８】
第１表示部１１０および第２表示部１２０は、例えば樹脂基板上にトランジスタを形成したＴＦＴ液晶ディスプレイ（Thin Film Transistor Liquid Crystal Display）、有機ＥＬディスプレイ(organic Electro Luminescence Display)、コレステリック液晶ディスプレイ（Cholesteric Liquid Crystal Display）等で構成することができる。本実施形態では、第１表示部１１０および第２表示部１２０には、ＴＦＴ液晶ディスプレイを用いる。第１表示部１１０および第２表示部１２０は、表示制御部２０４に制御され、画面を表示する。
【００３９】
第１表示部１１０は、後述するタッチセンサ１３０との組合せにより入力インターフェースを構成する。かかる入力インターフェースは、キーボード、十字キー、ジョイスティックといった従来の操作キーに対応した機能を奏する。なお、第２表示部１２０にもタッチセンサ１３０を重畳して、入力インターフェースを構成させることも可能である。
【００４０】
タッチセンサ１３０は、透明または半透明の素材で形成され、第１表示部１１０を視認可能に重畳される。本実施形態では、特にタッチセンサ１３０として、第１表示部１１０表面に取り付けるいわゆるタッチスクリーン型を採用している。しかし、第１表示部１１０裏面に取り付けられる圧力検知型であってもよい。タッチスクリーン型の接触の感知方法としては、圧力の変化を感知する感圧式と静電気による電気信号を感知する静電容量の２通りがある。
【００４１】
音声出力部１４２はスピーカで構成され、携帯電話１００で受信した通話相手の音声信号を音声に変えて出力する。またステレオスピーカ１５０は、着信音や、後述する第１表示部１１０とタッチセンサ１３０とによる入力インターフェースの操作音、ＴＶ音声、音楽、アラーム音等を出力する。
【００４２】
音声入力部１４４はマイク等の音声認識装置で構成され、通話時に入力されたユーザの音声を携帯電話１００内で処理可能な電気信号に変換する。
【００４３】
無線通信部２１０は、携帯電話網における基地局２１２と無線通信を行う。かかる無線通信としては、基地局２１２内でフレームを時分割した複数のタイムスロットをそれぞれ携帯電話１００のチャネルに割り当てて通信を行う時分割多重方式等がある。
【００４４】
（動作説明）
図４は第１施形態にかかる携帯電話１００の第１表示部１１０および第２表示部１２０における表示を説明する図、図５は第１実施形態にかかる携帯電話１００のアクティブアプリケーション１６０の切替を説明する図である。特に、図４（ａ）は待受画面表示時の携帯電話１００を示す図、図４（ｂ）はアクティブアプリケーション１６０としてメディアアプリケーション表示時の携帯電話１００を示す図、図４（ｃ）はアクティブアプリケーション１６０として通話アプリケーション表示時の携帯電話１００を示す図である。
【００４５】
図４に示すように、本実施形態では、表示制御部２０４が第１表示部１１０にアクティブアプリケーション１６０の画面を表示させ、第２表示部１２０にリスト画面を表示させる。リスト画面とは、切替対象たるアプリケーションを列記した画面である。リスト画面において、それぞれのアプリケーションは帯として表示される。図４（ｂ）、図４（ｃ）に示すように、特にアクティブアプリケーション１６０を示す帯は、非アクティブアプリケーション１７０を示す帯よりも幅広に表示される。これにより、裏面からでもアクティブアプリケーション１６０を認識することができる。なお、本実施形態において、これらの帯は端部部材１１４、１１６に対して垂直な方向（切替の方向、すなわちスクロール方向）に配列されているが、当然平行な方向に配列されても構わない。
【００４６】
具体的には、図４（ａ）に示すように、アクティブアプリケーションを選択していない場合には（携帯電話１００起動時等）、携帯電話１００の表面側の第１表示部１１０に待受画面が表示され得る。この待受画面は、広領域の接触をもって解除される。
【００４７】
図５に示すように、待受画面において、タッチセンサ１３０に広領域で接触すると、アクティブアプリケーション１６０としてＰｈｏｎｅ（通話）が表示される。また、この広領域の接触を繰り返すと、Ｍａｉｌ（メール）、Ｍｕｓｉｃ（音楽）、Ｎａｖｉ（ナビゲーション）、Ｃａｍｅｒａ（カメラ）、Ｍｅｄｉａ（メディア）、再びＰｈｏｎｅの順にアクティブアプリケーション１６０が切り替えられる。この順序は、第２表示部１２０にリスト画面として表示される。
【００４８】
なお、第１表示部１１０に新たに表示されたアクティブアプリケーション１６０の画面は、そのアプリケーションが未だ起動（実行）していない場合には、アプリケーションを起動（実行）させるためのアイコン（コマンド）を表示する。これは、狭領域の接触（タップ）により起動（実行）する。また、既にアプリケーションが起動（実行）していた場合には、その状態に対応した画面を表示する。アクティブアプリケーションに対する操作も、狭領域の接触（タップ）によって入力される。
【００４９】
ここで図４（ｂ）に示すように、アクティブアプリケーション１６０としてメディアアプリケーションを選択したとする。この場合メディアアプリケーションは第１表示部１１０にその画面が表示されるだけでなく、第２表示部１２０のリスト画面においてもそのアプリケーションを表す帯が幅広に表示される。
【００５０】
また、図４（ｃ）に示すように、ここでさらにタッチセンサ１３０に広領域で接触し、アクティブアプリケーション１６０として通話アプリケーションを選択したとする。すると、第１表示部１１０に通話アプリケーションの画面が表示されるだけでなく、第２表示部１２０のリスト画面においても幅広に表示される帯が、通話アプリケーションを示すものとなる。そのため、携帯電話１００の背面（裏面）からでも、現在のアクティブアプリケーション１６０を認識することができる。
【００５１】
さらに、このときメディアアプリケーションが実行中であった場合、リスト画面にまわりこんだこのアプリケーションは、実行中であるという概略が表示される。故に、現在アクティブでないアプリケーションの動作状況も容易に把握することができる。
【００５２】
なお、リスト画面に列記され得る非アクティブアプリケーション１７０は、ユーザによって選択された特定のアプリケーションであることが望ましい。換言すれば、当該携帯電話１００が実行可能なアプリケーション全てをリスト画面に表示させるわけではない。そのため、頻繁に用いるアプリケーションへ即時切り替えることができ、操作性の向上を図れる。特定のアプリケーションに選択されなかったアプリケーションは、例えば、待ち受け画面上に下階層へと進むメニューコマンドを設け、選択することができるようにしてよい。
【００５３】
なお、アクティブアプリケーションとして、これらのリスト画面に存在しないアプリケーションが選択された場合、リスト画面に割り込み表示させても良い。
【００５４】
図６はタッチセンサ１３０を用いて休止状態からの復帰判定を行う例を示す図であって、図６（ａ）は復帰判定領域の例を示す図、図６（ｂ）は休止状態と復帰のフローチャートを示す図である。
【００５５】
制御部２００は、電力の消耗を抑えて稼動時間を延長するために、所定時間以上の操作がなかった場合には休止状態とし、通信機能など一部の主要機能を除いてアプリケーション動作を停止する。そして携帯電話１００の操作が開始されると、休止動作から復帰する。しかし、携帯電話１００はタッチセンサ１３０を用いて各種操作を行うが、タッチセンサ１３０は接触を検知するデバイスであるから、単にタッチセンサ１３０で接触を検知したことによって復帰を実行すると、かばんやポケットに入れていた場合にはほとんど休止状態に入れなくなり、電力消耗が早くなってしまう。
【００５６】
そこで本実施形態では、休止状態からの復帰を判定するための特定の領域を設定している。具体的には、例えば図６（ａ）に示すように、タッチセンサ１３０の右下に復帰判定領域１３４を設定する。そして復帰は、この復帰判定領域１３４のみに所定時間以上触れられているか否かによって判定する。
【００５７】
休止状態と復帰の具体例について、図６（ｂ）のフローチャートに沿って説明する。最初に休止状態にあると仮定したとき、復帰判定領域１３４のみが所定時間以上触れられているか否かについて判断する（Ｓ１００）。条件を満たさなければ判断を継続し、条件を満たした場合には復帰する（Ｓ１０２）。このとき第１表示部１１０には待受画面を表示し、第２表示部１２０にはリスト画面を表示する。なお、休止状態からの復帰を、電源ボタン１４６などを押すことによって、判定してもよい。
【００５８】
待受画面においてアクティブアプリケーション１６０の切替操作があったか、または切り替えたアクティブアプリケーション１６０に対して操作が行われたか否かを判断する（Ｓ１０４）。何らかの操作が行われていた場合（Ｓ１０４:ＹＥＳ）にはアクティブアプリケーション１６０の切替またはアクティブアプリケーション１６０に対しての操作の実行を行い(Ｓ１０６）、処理が完了すると次の操作を待つ（Ｓ１０８）。復帰後に何らかの操作が行われなかった場合（Ｓ１０４:ＮＯ）、または操作待ちの状態（Ｓ１０８）で所定時間操作がなかったか否かを判定し（Ｓ１１０）、操作があった場合には処理を行い（Ｓ１０６）、操作がなければ休止状態となる（Ｓ１１２）。休止状態となった後は、ふたたび復帰判定領域１３４のみが所定時間以上触れられているか否かについて判断する（Ｓ１００）。
【００５９】
上記のように構成することにより、タッチセンサ１３０のみを有する携帯電話１００においても、高い精度で誤動作を防止することができる。なお、休止状態においては、復帰判定領域１３４の範囲を示す静止画または動画を表示するようにしてもよい。
【００６０】
以上説明したように、本実施形態にかかる携帯電話１００は、筐体の両面に略同じ表示面積を有する第１表示部１１０および第２表示部１２０を備えたことにより、表示部の情報量を飛躍的に増大することができる。また、第１表示部１１０にアクティブアプリケーション１６０の画面を、第２表示部１２０にリスト画面を表示させ、タッチセンサ１３０への狭領域の接触の場合は現在の表示画面に対する入力操作、広領域の接触の場合はアクティブアプリケーション１６０の切替としたため、操作性の向上も図ることができる。
【００６１】
また上記実施形態においては端部部材１１４の端面に電源ボタン１４６を設けるよう説明したが、端部部材１１４、１１６そのものをスイッチ機構を有する電源ボタンとすることでもよい。電源ボタンを大きくすることにより操作性を向上し、また外観上目立たないために美感を向上させ、またコネクタなどを配置するための面積を確保することが可能となる。
【００６２】
さらに端部部材１１４、１１６の端面には、文字入力のためのキーを設けてもよい。例えば子音はタッチセンサ１３０上に仮想キーを表示し、端部部材１１４に母音選択キーを設け、端部部材１１６に決定キーを設けることにより、個々の仮想キーの面積を大きく取ることができ、高速な入力が可能となる。
【００６３】
[第２実施形態]
(外観構成)
本発明にかかる電子機器の第２実施形態である携帯電話３００について説明する。携帯電話３００は、第１実施形態の携帯電話１００と同様の外観構成を有する。
【００６４】
（機能構成）
図７は第２実施形態にかかる携帯電話３００の概略的な機能を示すブロック図である。図７に示すように、携帯電話３００は、第１表示部１１０、第２表示部１２０、タッチセンサ１３０、カメラ１４０、音声出力部１４２、音声入力部１４４、ステレオスピーカ１５０、制御部４００、無線通信部２１０、メモリ２２０に加え、摺動検知部３３２を少なくとも備えている。
【００６５】
制御部４００は、中央処理装置（ＣＰＵ）を含む半導体集積回路により携帯電話３００全体を管理および制御する。具体的には、例えば、通話機能、文字入力機能、音楽再生機能、ＴＶ視聴機能などを担うメモリ２２０に格納されたアプリケーションや、通信網を介してアプリケーション中継サーバ（図示せず）から提供されるＷｅｂブラウザやスケジュール管理などのアプリケーションを実行する。制御部４００は、切替制御部４０２、表示制御部４０４を含んで構成される。
【００６６】
切替制御部４０２は、タッチセンサ１３０への操作が狭領域にて入力された場合、この操作をアクティブアプリケーション１６０に送信する（現在の表示画面に対する入力操作）。また、タッチセンサ１３０への操作が広領域にて入力された場合、摺動検知部３３２の検知に応じてアクティブアプリケーション１６０をリスト画面（後程説明する）に列記された非アクティブアプリケーション１７０に切り替える（切替処理）。そのため、誤操作によるアクティブアプリケーション１６０の切替を低減できる。
【００６７】
表示制御部４０４は、第１表示部１１０および第２表示部１２０に表示させる画面を制御する。本実施形態では、表示制御部４０４は、第１表示部１１０に少なくともアクティブアプリケーション１６０の画面を表示させ、第２表示部１２０にリスト画面を表示させる。第１実施形態の携帯電話１００と異なる点は、リスト画面において、アクティブアプリケーション１６０を表す帯が表示されず、非アクティブアプリケーション１７０を示す帯がスクロールすることである。
【００６８】
摺動検知部３３２は、タッチスクリーン１３０への接触の摺動を検知して、切替制御部４０２に送信する。
【００６９】
（動作説明）
図８は第２施形態にかかる携帯電話３００の第１表示部１１０および第２表示部１２０における表示を説明する図、図９は第２実施形態にかかる携帯電話３００のアクティブアプリケーション１６０の切替を説明する図である。特に、図８（ａ）は待受画面表示時の携帯電話３００を示す図、図８（ｂ）はアクティブアプリケーション１６０としてメディアアプリケーション表示時の携帯電話３００を示す図、図８（ｃ）はアクティブアプリケーション１６０として通話アプリケーション表示時の携帯電話３００を示す図である。
【００７０】
図８（ａ）に示すように、アクティブアプリケーションを選択していない場合には（携帯電話３００起動時等）、携帯電話３００の表面側の第１表示部１１０に待受画面が表示され得る。この待受画面は、広領域の接触の摺動をもって解除される。
【００７１】
図９に示すように、待受画面において、タッチセンサ１３０を広領域で接触して摺動すると、その摺動の方向にアクティブアプリケーション１６０およびリスト画面に列記された非アクティブアプリケーション１７０がスクロールする。例えば、スクロール方向５０１に摺動した場合、アクティブアプリケーション１６０としてＰｈｏｎｅ（通話）が表示され、リスト画面からＰｈｏｎｅの帯が削除される。そして、この方向に摺動を繰り返すと、Ｍａｉｌ（メール）、Ｍｕｓｉｃ（音楽）、Ｎａｖｉ（ナビゲーション）、Ｃａｍｅｒａ（カメラ）、Ｍｅｄｉａ（メディア）、再びＰｈｏｎｅの順（スクロール方向５０１順）にアクティブアプリケーション１６０が切り替えられる。アクティブアプリケーションの切替に伴って、リスト画面に列記された非アクティブアプリケーション１７０もスクロールする。すなわち切替制御部４０２は、アクティブアプリケーション１６０を表す帯に隣接する帯に対応する非アクティブアプリケーション１７０（他のアプリケーション）を実行し、アクティブアプリケーション１６０とする処理を行う。
【００７２】
詳述すると、アクティブアプリケーション１６０をスクロール方向５０１にスクロールさせると、リスト画面に列記されていた非アクティブアプリケーション１７０のうちスクロール方向５０１の端（上端）に位置していたアプリケーションに切り替えられる。第１表示部１１０に新たにそのアプリケーションが表示されるに従って、第２表示部１２０のリスト画面ではそのアプリケーションを表す帯がスクロール方向５０１にスクロールさせつつ削除される。また、第１表示部１１０に表示されていたアプリケーション（アクティブアプリケーション１６０）をスクロール方向５０１にスクロールさせつつ、第２表示部１２０のリスト画面のスクロール方向５０１の逆の端（下端）に追加する。このような動作画面の切替は、連続的かつ滑らかに行われる。そのため、裏面の第２表示部１２０のリスト画面に列記された非アクティブアプリケーション１７０を回転させて表面に持ってきて、第１表示部１１０に表示させるように動作する。したがって、あたかも筒を回転させているかのように、多数のアプリケーションを次々に切り替えることができる。なお、ここではスクロール方向５０１を例に挙げて説明したが、逆の摺動の方向に対応するスクロール方向５０２でも当然よい。
【００７３】
さらに具体的には、図８（ｂ）に示すように、アクティブアプリケーション１６０としてメディアアプリケーションを選択したとする。すると第２表示部１２０のリスト画面の非アクティブアプリケーションはスクロールされ、リスト画面の両端にはＰｈｏｎｅとＣａｍｅｒａが配置される。
【００７４】
また、図８（ｃ）に示すように、ここでさらにスクロール方向５０１に摺動すると、アクティブアプリケーション１６０として、通話アプリケーションが選択される。この場合第２表示部１２０のリスト画面の両端にはＭａｉｌとＭｅｄｉａが配置される。
【００７５】
なお、本実施形態のように、第１表示部１１０に加え、異なる面に配置される第２表示部１２０をさらに備える場合、表示制御部４０４はアクティブアプリケーション１６０を第１表示部１１０に表示させ、非アクティブアプリケーション１７０を第２表示部１２０に表示させるとともに、非アクティブアプリケーション１７０のいずれかを第１表示部１１０に表示していてもよい。すなわち、第２表示部に表示され得る非アクティブアプリケーション１７０の一部（リスト画面の一部）を第１表示部１１０に表示させてもよい。
【００７６】
図１０は、タッチセンサ１３０への広領域の接触の摺動によりアクティブアプリケーション１６０の切替を行う様子を示す図である。図１０に示すように、本実施形態ではタッチパネル１３０を両手の親指で摺動してアクティブアプリケーション１６０の切替を行うことを想定している。この方法によれば、ユーザは端末を把持しやすく、容易に操作を行なうことができる。さらに、両手タッチを広領域、片手タッチを狭領域となるように設定すれば、この切替をより好適に行うことができる。
【００７７】
図１１はアクティブアプリケーション１６０の他の切替方法を説明する図である。図１１に示すように、第１表示部１１０に非アクティブアプリケーション１７０を表示して、この非アクティブアプリケーション１７０を摺動することにより切替を行なってもよい。即ち切替制御部４０２は、所望のアプリケーションを表す帯を基点として、広領域の接触で摺動することにより（図１１（ａ）参照）、摺動の基点にて表示される帯に対応する非アクティブアプリケーション１７０をアクティブアプケーション１６０に切り替えることができる（図１１（ｂ）参照）。これにより、所望のアプリケーションまで広領域の接触にて摺動を繰り返すまでもなく簡略に切り替えて操作することができる。なお、第１表示部１１０に表示させる非アクティブアプリケーションはリスト画面に列記され得る非アクティブアプリケーション１７０の一部でもよいし、別途選択されたものでもよい。
【００７８】
[第３実施形態]
本発明にかかる電子機器の第３実施形態であるＰＤＡ５００について説明する。図１２は、第３実施形態にかかるＰＤＡ５００を示す図である。上述の実施形態では第１表示部１１０および第２表示部１２０を備えた携帯電話１００、３００について説明したが、本発明はこれに限るものではなく、筐体の一方側に表示部を備えた電子機器であってもよい。
【００７９】
図１２に示すように、本実施形態にかかるＰＤＡ５００は、単一の表示部５１０と、表示部５１０に重畳された透明なタッチセンサ５３０を備えている。このような単一の表示部５１０を有するＰＤＡ５００においても、接触が狭領域か広領域かを判断し、表示画面に対する操作の実行およびアクティブアプリケーション１６０の切替を行う本発明を適用できる。
【００８０】
すなわち、表示部５１０には、アクティブアプリケーション１６０が表示されており、タッチセンサ５３０への操作が狭領域にて入力された場合、この操作をアクティブアプリケーション１６０に送信する（現在の表示画面に対する入力操作）。また、タッチセンサ５３０への操作が広領域にて入力された場合、アクティブアプリケーション１６０を非アクティブアプリケーション１７０（他のアプリケーション）に切り替える（切替処理）。
【００８１】
ここで、図１２に示すように、表示部５１０に、アクティブアプリケーション１６０とあわせて非アクティブアプリケーション１７０を表示し、次に切り替えられ得るアプリケーションがわかるように構成されている。但し、図示は一例に過ぎず、非アクティブアプリケーション１７０は帯状でもよいが、表示部５１０の端に並べられたアイコンであってもよい。
【００８２】
また、非アクティブアプリケーション１７０を示す領域（帯など）は、表示または非表示を切替可能であることが好ましい。例えば、狭領域にて入力してアクティブアプリケーション１６０を操作している間は非アクティブアプリケーション１７０を隠しておき、広領域にて入力された瞬間に切替予定としての非アクティブアプリケーション１７０を表示させるとよい。これにより、表示部５１０が１つであっても、切り替えられる非アクティブアプリケーション１７０がわかりやすく、かつ現在のアクティブアプリケーション１６０になるべく多くの画面を使用することができる。
【００８３】
また、アクティブアプリケーション１６０を切り替える際の画面は、単に切り替えてもよく、スクロールするような画面効果を伴ってもよい。スクロールさせる際には、広領域の操作がなされた場合に摺動を検知していれば、摺動方向にスクロールさせることが好ましい。広領域の操作が方向性を伴わない場合には、任意の方向のスクロール、またはスクロールさせないことができる。さらには、例えば上下方向にスクロールすることに定めておき、スクロール方向に手を摺動した場合にはアプリケーションの切り替えを行い、異なる方向に摺動した場合には他の任意の動作を割り当ててもよい。
【００８４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８５】
例えば、上記実施形態においては第１表示部１１０および第２表示部１２０の端辺を湾曲させて互いに連接または連続するものとして例示したが、平板状の第１表示部１１０および第２表示部１２０を用いてもよい。
【００８６】
また上記実施形態ではアクティブアプリケーション１６０に切り替えられたアプリケーションが未だ起動（実行）していない場合には、アプリケーションを起動（実行）させるためのアイコン（コマンド）を表示するとしたが、制御部２００、４００が切替に応じて起動（実行）させるものとしてもよい。
【００８７】
また上記実施形態ではタッチセンサ１３０を第１表示部１１０に重畳するとしたが、これに限らず、第２表示部１２０にも重畳するとしてもよい。
【００８８】
また上記実施形態ではＰｈｏｎｅ、Ｍａｉｌ、Ｍｕｓｉｃ、Ｎａｖｉ、Ｃａｍｅｒａ、Ｍｅｄｉａの機能を有すると説明したが、これらの一部のみを有していてもよく、さらに例示以外の機能（例えばスケジュール機能など）を有していてもよい。
【００８９】
また上記実施形態では本発明にかかる電子機器として携帯電話、ＰＤＡを例に用いて説明したが、携帯電話の他にコンピュータ、デジタルカメラ、音楽プレイヤー、カーナビゲーション、テレビジョン、ゲーム機、ＤＶＤプレイヤー、およびリモートコントローラなども含まれる。
【産業上の利用可能性】
【００９０】
本発明は、タッチセンサを情報入力手段とする電子機器に利用することができる。
【符号の説明】
【００９１】
１００、３００、…携帯電話、１１４…端部部材、１１６…端部部材、１１０…第１表示部、１２０…第２表示部、１３０…タッチセンサ、１３２…外縁領域、１３４…復帰判定領域、１４０…カメラ、１４２…音声出力部、１４４…音声入力部、１４６…電源ボタン、１４８（１４８ａ、１４８ｂ、１４８ｃ、１４８ｄ）…放音口、１５０…ステレオスピーカ、１６０…アクティブアプリケーション、１７０…非アクティブアプリケーション（他のアプリケーション）、２００、４００…制御部、２０２、４０２…切替制御部、２０４、４０４…表示制御部、２１０…無線通信部、２２０…メモリ、２１２…基地局、３３２…摺動検知部、５００…ＰＤＡ、５１０…（単一の）表示部、５３０…タッチセンサ
【図１】
0005748799.tif 000002
【図２】
0005748799.tif 000003
【図３】
0005748799.tif 000004
【図４】
0005748799.tif 000005
【図５】
0005748799.tif 000006
【図６】
0005748799.tif 000007
【図７】
0005748799.tif 000008
【図８】
0005748799.tif 000009
【図９】
0005748799.tif 000010
【図１０】
0005748799.tif 000011
【図１１】
0005748799.tif 000012
【図１２】
0005748799.tif 000013